(57)【特許請求の範囲】
【請求項１】
配膳マットを有する配膳マット電子化システムであって、
前記配膳マットは、
製品を構成する複数の部品を配膳するための表示データに基づいて、前記製品を構成する複数の部品の配膳場所を表示する電子表示媒体を有することを特徴とする配膳マット電子化システム。
【請求項２】
請求項１記載の配膳マット電子化システムにおいて、
前記配膳マットは、
複数の品種毎の製品を構成する複数の部品を配膳するための表示データを受信するネットワーク機器と、
前記ネットワーク機器で受信した前記複数の品種毎の製品を構成する複数の部品を配膳するための表示データに基づいて、前記電子表示媒体に表示する前記製品を構成する複数の部品の配膳場所を前記複数の品種毎に書き換えるデータ書き換え装置とをさらに有することを特徴とする配膳マット電子化システム。
【請求項３】
請求項２記載の配膳マット電子化システムにおいて、
前記配膳マット電子化システムは、
前記複数の品種毎の製品を構成する複数の部品を配膳するための表示データと、前記複数の品種毎の製品を設計するための設計データとを管理するサーバを有し、
前記サーバで管理する前記表示データは、前記設計データとリンクさせて、各部品の大きさおよび各部品の組立順序を考慮して生成されることを特徴とする配膳マット電子化システム。
【請求項４】
請求項３記載の配膳マット電子化システムにおいて、
前記配膳マット電子化システムは、
前記配膳マットが敷き詰められる配膳台をさらに有し、
前記配膳台に敷き詰められた前記配膳マットには、前記複数の品種毎の製品を構成する複数の部品が組立順序に従って配膳されることを特徴とする配膳マット電子化システム。
【請求項５】
配膳マットが敷き詰められた配膳台であって、
前記配膳マットは、
複数の品種毎の製品を構成する複数の部品を配膳するための表示データを受信するネットワーク機器と、
前記ネットワーク機器で受信した前記複数の品種毎の製品を構成する複数の部品を配膳するための表示データに基づいて、前記複数の品種毎の製品を構成する複数の部品の配膳場所を表示する電子表示媒体と、
前記電子表示媒体に表示する前記製品を構成する複数の部品の配膳場所を前記複数の品種毎に書き換えるデータ書き換え装置とを有することを特徴とする配膳台。
【発明の詳細な説明】
【技術分野】
【０００１】
本発明は、製造現場において倉庫より部品が出される際に、部品を配膳台上の最適な位置に配膳する配膳マットの電子化システム、および配膳マットを敷き詰めた配膳台に適用して有効な技術に関するものである。
【背景技術】
【０００２】
例えば、製造現場では、倉庫より出庫された部品を配膳台に配膳し、組立作業現場に供給している。通常、部品はバラバラに配膳台に配膳されるため、組立作業者が組立作業を行う際に、部品を探し出してから作業を行うことになり、多くの組立時間がかかる。
【０００３】
それを改善するために配膳マットと言うものがある。この配膳マットは、配膳台に敷くことによって、部品の配膳位置を指定し、組立順序に並べることによって、部品を探す作業をなくし、組立作業の高効率化を図るものである。
【０００４】
例えば、特許文献１には、配膳支援システムとして、生産状況の変化に迅速に対応しながら具体的な部品の配膳指示を可能とする技術が記載されている。この技術は、配膳作業の現場に設けられたモニタに、部品の形状および寸法に関する情報と、配膳台の形状および寸法に関する情報を表示する技術である。
【０００５】
また、特許文献２には、電子部品配膳システムとして、配膳すべき電子部品を、効率良く、かつ、正確にロット単位に配膳し、組立工程に供給する技術が記載されている。この技術は、ピッキング装置が、出庫パレットの格納位置、および配膳すべき電子部品の座標に基づいて、出庫パレットから電子部品をピッキングし、この電子部品を配膳パレットに配膳する技術である。
【先行技術文献】
【特許文献】
【０００６】
【特許文献１】特開２０１０−１２８６４６号公報
【特許文献２】特開平７−２４６５３１号公報
【発明の概要】
【発明が解決しようとする課題】
【０００７】
ところで、前述した従来の配膳マットの製作では、使用する部品を倉庫より出した後で部品形状を確認し、手作業で配膳マットに情報を書き込み、製作する手法となっている。この製作手法は、繰り返し使用できる量産製品には有効であるが、配膳マットの製作に費やす手間を考慮すると非量産製品には不向きとなる。
【０００８】
なお、前述した特許文献１では、配膳指示情報の作成方法が記載されているが、水平方向から見た配膳台に入れる部品の配膳指示はあるが、上面から見た配膳指示に関する記載は見受けられない。そのため、横幅が異なる部品の配膳指示において、効率的な配膳指示ができない。また、配膳指示の表示は、モニタに出力しており、配膳場所に直接表示する記載は見られない。このため、部品の入れ間違いが多く、画面の確認回数が多いという問題がある。
【０００９】
また、前述した特許文献２では、ピッキング装置に、出庫パレットの格納位置、および配膳すべき電子部品の座標を指示するワークステーションが記載されているが、配膳場所に直接表示する記載は見受けられない。
【００１０】
以上のように、前述した特許文献１や特許文献２の技術は配膳場所に直接表示する技術ではなく、また、従来の配膳マットの技術では、配膳マットの製作を手作業で行っているために面倒な上、この配膳マットを使用した配膳台はその製品専用の配膳台となってしまい、他の製品に使用できなくなってしまうという問題がある。
【００１１】
そこで、本発明はこのような問題に鑑みてなされたものであり、その代表的な目的は、配膳マットの表示を切り替えることにより、どの製品にも対応できる配膳台とすることができる配膳マットの電子化システム、および配膳マットを敷き詰めた配膳台を提供することにある。
【００１２】
本発明の前記ならびにその他の目的と新規な特徴は、本明細書の記述および添付図面から明らかになるであろう。
【課題を解決するための手段】
【００１３】
本願において開示される発明のうち、代表的なものの概要を簡単に説明すれば、次のとおりである。
【００１４】
すなわち、上記目的を達成する為に、代表的な配膳マット電子化システムは、配膳マットを有し、前記配膳マットは、製品を構成する複数の部品を配膳するための表示データに基づいて、前記製品を構成する複数の部品の配膳場所を表示する電子表示媒体を有することを特徴とする。さらに好適には、前記配膳マットは、複数の品種毎の製品を構成する複数の部品を配膳するための表示データを受信するネットワーク機器と、前記ネットワーク機器で受信した前記複数の品種毎の製品を構成する複数の部品を配膳するための表示データに基づいて、前記電子表示媒体に表示する前記製品を構成する複数の部品の配膳場所を前記複数の品種毎に書き換えるデータ書き換え装置とを有することを特徴とする。
【００１５】
また、前記配膳マットが敷き詰められた配膳台にも適用することができる。
【発明の効果】
【００１６】
本願において開示される発明のうち、代表的なものによって得られる効果を簡単に説明すれば以下のとおりである。
【００１７】
（１）従来は配膳マットの製作において、部品がすべて出庫されてからでしか、配膳マットを製作することができなかったが、本発明により、製品設計が完了した時点で、配膳マットの製作が可能となる。
【００１８】
（２）配膳マットの表示を瞬時に切り替えることにより、配膳台をどの製品にも対応させることが可能となる。
【００１９】
（３）部品配置の入れ換え、部品の追加・削除等、配膳マットのレイアウト修正に容易に対応することが可能となる。
【図面の簡単な説明】
【００２０】
【図１】本発明の一実施の形態である配膳マット電子化システムの概要の一例を示す図である。
【図２】図１の配膳マット電子化システムにおける部品一覧表（ａ），（ｂ），（ｃ）の一例を示す図である。
【図３】図１の配膳マット電子化システムにおける画像データの一例を示す図である。
【図４】図１の配膳マット電子化システムにおけるレイアウトデータの一例を示す図である。
【図５】図１の配膳マット電子化システムにおける表示データの一例を示す図である。
【図６】図１の配膳マット電子化システムを用いた配膳台の状態遷移の概略の一例を示す図である。
【発明を実施するための形態】
【００２１】
以下の実施の形態においては、便宜上その必要があるときは、複数の実施の形態またはセクションに分割して説明するが、特に明示した場合を除き、それらは互いに無関係なものではなく、一方は他方の一部または全部の変形例、詳細、補足説明等の関係にある。また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でも良い。
【００２２】
さらに、以下の実施の形態において、その構成要素（要素ステップ等も含む）は、特に明示した場合および原理的に明らかに必須であると考えられる場合等を除き、必ずしも必須のものではないことは言うまでもない。同様に、以下の実施の形態において、構成要素等の形状、位置関係等に言及するときは、特に明示した場合および原理的に明らかにそうでないと考えられる場合等を除き、実質的にその形状等に近似または類似するもの等を含むものとする。このことは、上記数値および範囲についても同様である。
【００２３】
以下、本発明の実施の形態を図面に基づいて詳細に説明する。なお、実施の形態を説明するための全図において、同一の部材には原則として同一の符号を付し、その繰り返しの説明は省略する。
【００２４】
＜本発明の実施の形態の概要＞
本発明の実施の形態の配膳マット電子化システムは、配膳マット（１１）を有し、この配膳マットは、製品を構成する複数の部品を配膳するための表示データに基づいて、製品を構成する複数の部品の配膳場所を表示する電子表示媒体（７）を有し、さらに好適には、この配膳マットは、複数の品種毎の製品を構成する複数の部品を配膳するための表示データを受信するネットワーク機器（９）と、このネットワーク機器で受信した表示データに基づいて、電子表示媒体に表示する部品の配膳場所を複数の品種毎に書き換えるデータ書き換え装置（１０）とを有することを特徴とする。
【００２５】
以上説明した本発明の実施の形態の概要に基づいた実施の形態を、以下において具体的に説明する。以下に説明する実施の形態は本発明を用いた一例であり、本発明は以下の実施の形態により限定されるものではない。
【００２６】
＜配膳マット電子化システムの構成＞
まず、図１を用いて、本発明の一実施の形態である配膳マット電子化システムの概要の一例について説明する。図１は、この配膳マット電子化システムの概要の一例を示す図である。
【００２７】
本実施の形態である配膳マット電子化システムは、製品設計のための設計データ１と配膳マット１１に部品のレイアウトを表示するための表示データ２を管理するサーバ１２と、このサーバ１２と通信可能で、表示データ２に基づいて部品のレイアウトが表示される配膳マット１１などを有して構成される。このサーバ１２は、設計部門の操作端末や製造部門の操作端末から自由（必要に応じて認証確認あり）にアクセスでき、設計部門からは設計データ１が格納でき、また、製造部門からは、この設計データ１に基づいて表示データ２を作成し、この作成した表示データ２が格納できるようになっている。
【００２８】
設計データ１は、部品データ３と製作データ４で構成される。部品データ３には、部品毎の形状、大きさ、名称、員数、重量等のデータが格納されている。この部品データ３は、複数の品種毎の製品に使用する可能性のあるすべての部品の詳細データである。製作データ４には、製作の際に必要な製品毎の使用部品、組立順序、取付位置等のデータが格納されている。これらの設計データ１を元に表示データ２が作成される。
【００２９】
表示データ２は、画像データ５とレイアウトデータ６で構成される。画像データ５には、部品毎の形状、名称、員数、重量等のデータが格納され、また内部データとしての大きさ、組立順序等のデータも格納されている。レイアウトデータ６には、大きさ、組立順序等のデータが格納されている。この表示データ２の作成の詳細は、後述する図２〜図５において説明する。
【００３０】
配膳マット１１は、次のようなハードウェア構成例となっている。配膳マット１１は、これに限定されるものではないが、例えば、電子表示媒体７、保護材８、ネットワーク機器９、データ書き換え装置１０で構成される。この配膳マット１１では、サーバ１２で管理されている表示データ２をネットワーク機器９を介してデータ書き換え装置１０に受信し、この受信した表示データ２を元にデータ書き換え装置１０より電子表示媒体７へ表示信号を送り、電子表示媒体７に部品のレイアウトを表示する。
【００３１】
図１の例では、電子表示媒体７には、（１）コンデンサ，員数：２、（２）ＩＰＬ、（３）ボルト，Ｍ６×１６，員数：１０、（４）ＦＴＧ，員数：２、（５）ＦＴＧ，員数：２、の各部品のレイアウトを表示している。
【００３２】
電子表示媒体７は、表示データ２に基づいて部品のレイアウトを表示するための媒体である。この電子表示媒体７には、例えば、消費電力、厚さ、メモリ性より、電子ペーパーを利用するのが好ましいが、有機ＥＬ、液晶パネル、ＬＥＤ、ブラウン管を使用しても良い。
【００３３】
保護材８は、電子表示媒体７の保護のために、この電子表示媒体７の上部を覆う部材である。この保護材８には、例えば、透明かつ強度のある材質を使用するのが好ましく、一例としてポリカーボネイトまたはアクリル板が使用できる。
【００３４】
ネットワーク機器９は、サーバ１２との間で表示データ２のネットワーク通信を行うための機器である。このネットワーク機器９には、例えば、無線方式を使用するのが好ましいが、有線方式を用いても良い。
【００３５】
データ書き換え装置１０は、ネットワーク機器９で受信した表示データ２に基づいて、電子表示媒体７に表示する部品のレイアウトを書き換えるための装置である。このデータ書き換え装置１０には、例えば、電子表示媒体７に応じ、専用基盤の使用が考えられるが、ＰＣ等を使用することもできる。
【００３６】
以上のように構成される配膳マット１１において、例えば、電子表示媒体７に電子ペーパー、保護材８にポリカーボネイト、ネットワーク機器９に無線方式の無線ＬＡＮ受信機、データ書き換え装置１０に専用基盤を用いた場合の例を説明する。この例では、サーバ１２からネットワークを介して、ネットワーク機器９の無線ＬＡＮ受信機に送られた表示データ２を元に、データ書き換え装置１０の専用基盤を介して、電圧を電子表示媒体７の電子ペーパーに印加し、任意の色の粉を電子ペーパーのパネル表面に浮上させることで、部品のレイアウトを表示する。なお、電子ペーパーの表示制御方式は多々あり、この方式は一例である。
【００３７】
＜部品一覧表の作成＞
次に、図２を用いて、図１の配膳マット電子化システムにおける部品一覧表の一例について説明する。図２は、この部品一覧表の一例を示す図である。この部品一覧表は、設計データ１の内部情報を抜粋したものである。
【００３８】
図２（ａ）に示す部品一覧表（設計原図）２１は、設計データ１の部品データ３と製作データ４より必要な情報を組み合わせて作成された一覧表である。この部品一覧表２１には、作業順序、項番、部品名、型式・仕様、寸法（縦、横、高さ）、重量、員数の各項目のデータが格納されている。作業順序と項番は、組立順序に対応するデータである。部品名と型式・仕様は、名称に対応するデータである。寸法（縦、横、高さ）は、形状に対応するデータである。
【００３９】
図２（ｂ）に示す部品一覧表（作業順序並び替え）２２は、部品一覧表（設計原図）２１に対して、製作データ４の組立順序の情報を元に、作業順序を１から１２まで順に並び替えて作成された一覧表である。このように、部品一覧表（設計原図）２１を部品一覧表（作業順序並び替え）２２のように並び替える。
【００４０】
図２（ｃ）に示す部品一覧表（配膳マットに配膳しない部品を除外）２３は、部品一覧表（作業順序並び替え）２２に対して、部品データ３の大きさ情報等を参照し、配膳マット１１に配膳しない部品を抜き出し、これを除外するように並び替えて作成された一覧表である。この例では、作業順序２，３，７，１０の部品が配膳マットに配膳しない部品として除外される。このように、部品一覧表（作業順序並び替え）２２を部品一覧表（配膳マットに配膳しない部品を除外）２３のように並び替える。
【００４１】
この配膳マット１１に配膳しない部品とは、大きさ、重量が規定値範囲から逸脱しているか、あるいは部品の品種による例外的な処置等、ノウハウに左右されるものが多いため、自由に決めてもよい。この並び替えにより、配膳マット１１に配膳しない部品は表示データ２に反映されないようにする。
【００４２】
以上の部品一覧表（設計原図）２１の作成、この並び替えによる部品一覧表（作業順序並び替え）２２の作成、さらにこの並び替えによる部品一覧表（配膳マットに配膳しない部品を除外）２３の作成は、例えば現場に設置された操作端末上で必要な情報の選択等の操作のみを行い、プログラム実行の指示により動作する部品一覧表作成プログラムによる自動生成が好ましい。
【００４３】
＜画像データの作成＞
次に、図３を用いて、図１の配膳マット電子化システムにおける画像データの一例について説明する。図３は、この画像データの一例を示す図である。
【００４４】
画像データ３１（Ａ，Ｄ，Ｅ，Ｆ，Ｈ，Ｉ，Ｋ，Ｌ）は、設計データ１から、実際に配膳マット１１に図・文字として表記されるデータとして、部品毎に作成する。この例では、３１Ａは部品Ａ、３１Ｄは部品Ｄ、３１Ｅは部品Ｅ、３１Ｆは部品Ｆ、３１Ｈは部品Ｈ、３１Ｉは部品Ｉ、３１Ｋは部品Ｋ、３１Ｌは部品Ｌにそれぞれ対応する画像データである。
【００４５】
実際に配膳マット１１に図・文字として表記される情報は、組立順序、名称、員数、重量、形状、大きさ、部品の外観、色、図面番号、参照データ等の様々な設計データ１から製品に応じた必要なデータを選ぶ。表示されるデータの選択は、ノウハウに左右されるため、自由に決めてもよい。例えば、画像データ３１Ａには、図として形状の長方形が表記され、文字として名称の「部品Ａ」と重量の「重量●」が表記されている。画像データ３１Ｄには楕円と「部品Ｄ」、画像データ３１Ｅには二等辺三角形と「部品Ｅ」、画像データ３１Ｆには２個の直角三角形と「部品Ｆ」と「員数▲」、画像データ３１Ｈには円と「部品Ｈ」、画像データ３１Ｉには長方形と「部品Ｉ」と「型式：iiii」と「重量●」、画像データ３１Ｋには１１個の長方形と「部品Ｋ」と「員数▲」、画像データ３１Ｌには二等辺三角形と「部品Ｌ」がそれぞれ表記されている。
【００４６】
尚、画像データ（部品毎）３１の内部情報として、大きさ、組立順序を含め、画像のサイズは部品の大きさ＋余白のサイズとし、組立順序と画像データ５が１対１で対応できるようにする。
【００４７】
この画像データ３１の作成は、例えば現場に設置された操作端末上で必要な情報の選択等の操作のみを行い、プログラム実行の指示により動作する画像データ作成プログラムによる自動生成が好ましい。
【００４８】
＜レイアウトデータの作成＞
次に、図４を用いて、図１の配膳マット電子化システムにおけるレイアウトデータの一例について説明する。図４は、このレイアウトデータの一例を示す図である。図４は、２つの配膳マット１１のそれぞれに対応するレイアウトデータを示す。
【００４９】
レイアウトデータ４１，４２は、大きさ、組立順序を元に、配膳マット１１毎に作成する。１つ目の配膳マット１１のレイアウトデータ４１には、作業順序が「１」と名称が「部品Ａ」を示す「１−Ａ」の部品毎のレイアウトデータ４３Ａの他、「４−Ｄ」のレイアウトデータ４３Ｄ、「５−Ｅ」のレイアウトデータ４３Ｅ、「６−Ｆ」のレイアウトデータ４３Ｆが表記されている。同様に、２つ目の配膳マット１１のレイアウトデータ４２には、「８−Ｈ」のレイアウトデータ４３Ｈ、「９−Ｉ」のレイアウトデータ４３Ｉ、「１１−Ｋ」のレイアウトデータ４３Ｋ、「１２−Ｌ」のレイアウトデータ４３Ｌが表記されている。
【００５０】
レイアウトの必ず守らなければならないルールとして、レイアウトデータ（部品毎）４３（Ａ，Ｄ，Ｅ，Ｆ，Ｈ，Ｉ，Ｋ，Ｌ）は重ならないように配置する事、レイアウトデータ（配膳マット）４１，４２の大きさ内に収まるように配置する事が挙げられる。
【００５１】
その他基本ルールとして、決められた配置ルールに従う。この配置ルールとして、例えば、作業性を考慮し、配膳マット１１の右前、右奥、左前、左奥の順番に画像データ３１を配置する事、配膳台の上段から下段に順番に画像データ３１を配置する事等が挙げられる。配置ルールは、様々な想定を考慮し、自由に決めてもよい。
【００５２】
このレイアウトデータ４１，４２の作成は、例えば現場に設置された操作端末上で必要な情報の選択等の操作のみを行い、プログラム実行の指示により動作するレイアウトデータ作成プログラムによる自動生成が好ましい。
【００５３】
また、各配膳マット１１のレイアウトデータ４１，４２に対する部品毎のレイアウトデータ４３の配置位置の決定は、プログラムによる自動生成が好ましいが、例えば現場に設置された操作端末のマウスを操作して、手動でも変更可能な構成とする。
【００５４】
＜表示データの作成＞
次に、図５を用いて、図１の配膳マット電子化システムにおける表示データの一例について説明する。図５は、この表示データの一例を示す図である。
【００５５】
表示データ５１，５２は、それぞれ、図４に示したレイアウトデータ（配膳マット）４１，４２のレイアウトデータ（部品毎）４３の位置に、図３に示した画像データ（部品毎）３１を貼り付け、配膳マット１１毎に作成する。
【００５６】
この貼り付けによる作成作業を、全てのレイアウトデータ（配膳マット）４１，４２のレイアウトデータ（部品毎）４３と画像データ（部品毎）３１について行い、それらを纏めたものが表示データ５１，５２となる。この表示データ５１，５２の作成後は、サーバ１２に表示データ２として保管する。
【００５７】
このようにしてサーバ１２に格納された表示データ２を、ネットワーク機器９を用い、データ書き換え装置１０を介して、配膳マット１１上の電子表示媒体７に送り、電子表示媒体７に部品のレイアウトを表示させる。
【００５８】
この表示データ５１，５２の作成は、例えば現場に設置された操作端末上で必要な情報の選択等の操作のみを行い、プログラム実行の指示により動作する表示データ作成プログラムによる自動生成が好ましい。
【００５９】
＜配膳台の状態遷移＞
次に、図６を用いて、図１の配膳マット電子化システムを用いた配膳台の状態遷移の概略の一例について説明する。図６は、この配膳台の状態遷移の概略の一例を示す図である。
【００６０】
図６の例では、配膳台には３段に配膳マット１１を敷き詰め、各々が独立してデータの書き換えが可能な構成とする。この書き換えのための表示データ２は、サーバ１２から無線ＬＡＮ送信機６１を介して各配膳マット１１で受信するものとする。尚、配膳台の段数は自由に変更してもよい。また、レイアウトＡ，Ｂ，Ｃは電子表示媒体７の表示例であり、それぞれが異なる表示である。
【００６１】
まず、倉庫エリアにおいて、配膳者は、空配膳台（レイアウトＡ）６２に敷き詰められている配膳マット１１のデータ書き換え装置１０を操作し、無線ＬＡＮ送信機６１より製造エリアＡ用の表示データ２を受信させ（Ｓ７１：表示データ受信）、空配膳台（レイアウトＡ）６２に敷き詰められている配膳マット１１の表示を変更して（Ｓ７２：表示変更）、空配膳台（レイアウトＡ）６２を空配膳台（レイアウトＢ）６３の状態とする。
【００６２】
さらに、配膳者は、空配膳台（レイアウトＢ）６３に、倉庫より出された部品６７を配膳マット１１に表示されている図・文字を参考に配膳し（Ｓ７３：部品配膳）、空配膳台（レイアウトＢ）６３を配膳台（レイアウトＢ）６４の状態とする。
【００６３】
そして、配膳者は、配膳台（レイアウトＢ）６４を製造エリアＡに移動し（Ｓ７４：配膳台移動）、配膳台（レイアウトＢ）６４に敷き詰められた配膳マット１１上に配膳した部品６７を製造工程に供給する。
【００６４】
続いて、製造エリアＡにおいて、製造者は、配膳台（レイアウトＢ）６４上に配膳されている部品６７を使用し（Ｓ７５：部品使用）、組立作業を行うことで配膳台（レイアウトＢ）６４を空配膳台（レイアウトＢ）６３の状態に戻す。これにより、製造エリアＡでの組立作業は終了となる。
【００６５】
そして、配膳者は、空配膳台（レイアウトＢ）６３を倉庫エリアに移動する（Ｓ７６：配膳台移動）。
【００６６】
続いて、倉庫エリアにおいて、配膳者は、空配膳台（レイアウトＢ）６３に敷き詰められている配膳マット１１のデータ書き換え装置１０を操作し、無線ＬＡＮ送信機６１より製造エリアＢ用の表示データ２を受信させ（Ｓ７７：表示データ受信）、空配膳台（レイアウトＢ）６３に敷き詰められている配膳マット１１の表示を変更して（Ｓ７８：表示変更）、空配膳台（レイアウトＢ）６３を空配膳台（レイアウトＣ）６５の状態とする。
【００６７】
さらに、配膳者は、空配膳台（レイアウトＣ）６５に、倉庫より出された部品６８を配膳マット１１に表示されている図・文字を参考に配膳し（Ｓ７９：部品配膳）、空配膳台（レイアウトＣ）６５を配膳台（レイアウトＣ）６６の状態とする。
【００６８】
そして、配膳者は、配膳台（レイアウトＣ）６６を製造エリアＢに移動し（Ｓ８０：配膳台移動）、配膳台（レイアウトＣ）６６に敷き詰められた配膳マット１１上に配膳した部品６８を製造工程に供給する。
【００６９】
続いて、製造エリアＢにおいて、前述した製造エリアＡと同様に、製造者は、配膳台（レイアウトＣ）６６上に配膳されている部品６８を使用し、組立作業を行うことで配膳台（レイアウトＣ）６６を空配膳台（レイアウトＣ）６５の状態に戻す。これにより、製造エリアＢでの組立作業は終了となる。
【００７０】
以降、同様の工程を繰り返すことにより、１つの配膳台を多くの製造エリアに供給することができる。
【００７１】
＜実施の形態の効果＞
以上説明した本実施の形態である配膳マット電子化システムによれば、配膳マット１１を有し、この配膳マット１１は、製品を構成する複数の部品を配膳するための表示データ２に基づいて、製品を構成する複数の部品の配膳場所を表示する電子表示媒体７を有し、さらに好適には、この配膳マット１１は、複数の品種毎の製品を構成する複数の部品を配膳するための表示データ２を受信するネットワーク機器９と、このネットワーク機器９で受信した表示データに基づいて、電子表示媒体７に表示する部品の配膳場所を複数の品種毎に書き換えるデータ書き換え装置１０とを有することで、以下のような効果を得ることができる。
【００７２】
（１）従来は配膳マットの製作において、部品がすべて出庫されてからでしか、配膳マットを製作することができなかったが、本実施の形態である配膳マット電子化システムにより、製品設計が完了した時点で、配膳マット１１の製作が可能となる。
【００７３】
（２）配膳マット１１の表示を瞬時に切り替えることにより、配膳台をどの製品にも対応させることが可能となる。
【００７４】
（３）部品配置の入れ換え、部品の追加・削除等、配膳マット１１のレイアウト修正に容易に対応することが可能となる。
【００７５】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００７６】
本発明は、製造現場において倉庫より部品が出される際に、部品を配膳台上の最適な位置に配膳する配膳マットの電子化システム、および配膳マットを敷き詰めた配膳台に利用可能である。
【符号の説明】
【００７７】
１…設計データ
２…表示データ
３…部品データ
４…製作データ
５…画像データ
６…レイアウトデータ
７…電子表示媒体
８…保護材
９…ネットワーク機器
１０…データ書き換え装置
１１…配膳マット
１２…サーバ
２１…部品一覧表（設計原図）
２２…部品一覧表（作業順序並び替え）
２３…部品一覧表（配膳マットに配膳しない部品を除外）
３１（Ａ，Ｄ，Ｅ，Ｆ，Ｈ，Ｉ，Ｋ，Ｌ）…画像データ（部品毎）
４１，４２…レイアウトデータ（配膳マット）
４３（Ａ，Ｄ，Ｅ，Ｆ，Ｈ，Ｉ，Ｋ，Ｌ）…レイアウトデータ（部品毎）
５１，５２…表示データ（配膳マット毎）
６１…無線ＬＡＮ送信機
６２…空配膳台（レイアウトＡ）
６３…空配膳台（レイアウトＢ）
６４…配膳台（レイアウトＢ）
６５…空配膳台（レイアウトＣ）
６６…配膳台（レイアウトＣ）
６７…部品（製造エリアＡ）
６８…部品（製造エリアＢ）
Ｓ７１…表示データ受信
Ｓ７２…表示変更
Ｓ７３…部品配膳
Ｓ７４…配膳台移動
Ｓ７５…部品使用
Ｓ７６…配膳台移動
Ｓ７７…表示データ受信
Ｓ７８…表示変更
Ｓ７９…部品配膳
Ｓ８０…配膳台移動
【図１】
0005468034.tif 000002
【図２】
0005468034.tif 000003
【図３】
0005468034.tif 000004
【図４】
0005468034.tif 000005
【図５】
0005468034.tif 000006
【図６】
0005468034.tif 000007